(57)【要約】【課題】出力紙上でヤレのある位置を容易に特定可能な合紙を印刷することのできるヤレ位置特定シート生成装置および画像形成システムを提供する。【解決手段】画像形成システムは、印刷された出力紙を読み取って得た画像を解析してヤレの有無、種別、位置を検出し、ヤレを検出した場合にその出力紙（ヤレ紙）より大きい用紙に、ヤレ紙を重ね合わせる位置を示す基準マーク４１と、基準マーク４１に位置合わせして重ねたヤレ紙の中のヤレ位置を指し示すヤレ位置特定マーク４３とを含む画像を印刷するための印刷データを生成し、ヤレ位置特定シートを印刷出力する。【選択図】図６
2019202425.tif 000002
【特許請求の範囲】
【請求項１】
ヤレ紙に存在する異常の位置情報を含むヤレ情報を取得するヤレ情報取得部と、
所定の用紙に、前記ヤレ紙を重ね合わせる位置を示す基準マークと、前記基準マークに位置合わせして重ねた前記ヤレ紙の中の前記位置情報が示す位置を示すヤレ位置特定マークとを印刷するための印刷データを生成する印刷データ生成部と、
を有する
ことを特徴とするヤレ位置特定シート生成装置。
【請求項２】
前記ヤレ情報は、前記異常の種類を示す情報を含み、
前記印刷データ生成部は、前記ヤレ情報が示す前記異常の種類に応じて前記ヤレ位置特定マークの種類を切り替える
ことを特徴とする請求項１に記載のヤレ位置特定シート生成装置。
【請求項３】
前記印刷データ生成部は、前記ヤレ位置特定マークの色を黒に指定した印刷データを生成する
ことを特徴とする請求項１または２に記載のヤレ位置特定シート生成装置。
【請求項４】
前記印刷データ生成部は、前記印刷データに基づく印刷を行わせる画像形成装置の給紙トレイにセットされている用紙の中から前記所定の用紙を選択する際の選択基準の１つとして透光率を含み、透光率がより高い用紙を優先する
ことを特徴とする請求項１乃至３のいずれか１つに記載のヤレ位置特定シート生成装置。
【請求項５】
前記印刷データ生成部は、坪量が少ないほど透光率が高く、かつ、透明シートは最も坪量が少ない用紙より透光率が高いとして前記選択を行う
ことを特徴とする請求項４に記載のヤレ位置特定シート生成装置。
【請求項６】
前記印刷データ生成部は、前記印刷データに基づく印刷を行わせる画像形成装置の給紙トレイにセットされている用紙の中から前記所定の用紙を選択する際の選択基準の１つとして用紙のサイズを含み、前記ヤレ紙を超えるサイズの用紙を優先する
ことを特徴とする請求項１乃至５のいずれか１つに記載のヤレ位置特定シート生成装置。
【請求項７】
前記印刷データ生成部は、前記所定の用紙の選択をユーザから受け付ける
ことを特徴とする請求項１乃至３のいずれか１つに記載のヤレ位置特定シート生成装置。
【請求項８】
前記基準マークは、前記ヤレ紙の角部を位置合わせするものであり、
前記印刷データ生成部は、前記ヤレ紙が有する複数の角部の中から前記基準マークに位置合わせする一の角部を選択する際に、前記一の角部が位置合わせされる基準マークと前記ヤレ位置特定マークとが前記所定の用紙に収まるように、前記一の角部を選択する
ことを特徴とする請求項１乃至７のいずれか１つに記載のヤレ位置特定シート生成装置。
【請求項９】
前記印刷データ生成部は、前記所定の用紙に前記ヤレ紙を重ねたときの前記ヤレ紙の排紙方向を示す排紙方向マークがさらに印刷されるように前記印刷データを生成する
ことを特徴とする請求項１乃至８のいずれか１つに記載のヤレ位置特定シート生成装置。
【請求項１０】
前記印刷データ生成部は、前記所定の用紙と前記ヤレ紙が同一サイズの場合は前記基準マークを印刷しない
ことを特徴とする請求項１乃至９のいずれか１つに記載のヤレ位置特定シート生成装置。
【請求項１１】
前記印刷データ生成部は、前記ヤレ位置特定マークとして、前記基準マークに位置合わせして重ねた前記ヤレ紙の中の前記位置情報が示す位置もしくはその脇を通る線分と、前記線分の少なくとも一方側で前記位置情報が示す位置を指し示す指示マークが印刷される印刷データを生成する
ことを特徴とする請求項１乃至１０のいずれか１つに記載のヤレ位置特定シート生成装置。
【請求項１２】
前記印刷データ生成部は、前記ヤレ紙の透光率が基準値以下の場合に、前記ヤレ位置特定マークとして前記線分と前記指示マークを選択する
ことを特徴とする請求項１１に記載のヤレ位置特定シート生成装置。
【請求項１３】
前記ヤレ情報取得部は、
印刷された用紙を光学的に読み取る読取部と、
前記読取部で前記用紙を光学的に読み取って得た読み取り画像を解析して前記用紙に存在する異常を検出して前記ヤレ情報を取得する異常検出部と、
を有する
ことを特徴とする請求項１乃至１２のいずれか１つに記載のヤレ位置特定シート生成装置。
【請求項１４】
請求項１３に記載のヤレ位置特定シート生成装置と、
前記ヤレ位置特定シート生成装置によって生成された印刷データに基づいて前記所定の用紙に印刷する画像形成装置と、
を有する
ことを特徴とする画像形成システム。
【請求項１５】
前記読取部は、前記画像形成装置から出力された用紙の搬送経路上に設けられたものである
ことを特徴とする請求項１４に記載の画像形成システム。
【発明の詳細な説明】
【技術分野】
【０００１】
本発明は、出力紙上のヤレの位置を確認するためのシートの印刷データを生成するヤレ位置特定シート生成装置およびこれを含む画像形成システムに関する。
【背景技術】
【０００２】
近年、印刷装置から出力された出力紙の異常を検出する方法として、印刷装置の後段の搬送経路上にスキャナ部を有るヤレ検査装置を設け、印刷された各出力紙を光学的に読み取って得た画像を即座に解析することで、印刷の実行中にリアルタイムに出力紙の異常（ヤレ）を検出する方法がある（たとえば、特許文献１参照）。
【０００３】
ヤレ検査装置で異常の検査された出力紙（ヤレ紙）の情報は、印刷装置の操作パネルに表示される。しかし、商業印刷領域では、大量・高速に印刷が行われるため、印刷装置の運用はオペレータが行い、出力物の仕上がり品質のチェックは検査員が行う、というように分業化されることが多いので、オペレータが操作パネルを使用しているときは、検査員がヤレ紙の情報を操作パネルで確認できない場合があった。
【０００４】
この問題に対して、ヤレ紙の情報を合紙に印刷して排紙することで検査員がいつでもヤレ紙の情報を確認できるようにした印刷システムが提案されている。検査員は、図２０に示すような出力紙の山の中から合紙を取り出し、これに印刷されたヤレ紙の情報に基づいて、ヤレ紙とされた出力紙の状態を確認し、該出力紙を取り除くべきかどうかを判断する。
【０００５】
たとえば、合紙に、検出された異常（ヤレ）の位置を示す情報、ヤレの種類、不良ページの抜き取り方法等を印刷する画像形成装置が下記の特許文献２に開示されている。この画像形成装置では、ヤレ位置情報を単に座標で示すと実際の出力紙の中から異常のある場所を特定することが難しいことに鑑みて、図２１に示すように、出力紙を読み取って得た画像を縮小したサムネイル画像を合紙に印刷すると共に、このサムネイル画像の上にヤレの発生している箇所を囲む赤丸等のマークを重ねて印刷する。
【０００６】
検査員は、合紙に印刷されたサムネイル画像上でマークのある箇所を確認し、実際の出力紙上でこれらのマークに対応する箇所を見てヤレの状況を判断する。
【先行技術文献】
【特許文献】
【０００７】
【特許文献１】特開２０１３−２００２２２号公報
【特許文献２】特開２０１７−２０２６２７号公報
【発明の概要】
【発明が解決しようとする課題】
【０００８】
サムネイル画像に付加されたマークでおおよその位置を確認して、これに対応する出力紙上のヤレ位置を見つけ出す場合、図２２に示すマーク１のように、該マーク１のある場所の近くに特徴的な目標物（この例では窓）があれば、マーク１に対応する出力紙上の位置を該目標物を手掛かりにして比較的容易に特定することができる。しかし、同図のマーク２のように、マーク２のある場所やその周辺に特徴的な目標物が何もなければ、出力紙上でマーク２に対応する位置を絞り込むことは難しく、ヤレの発見が困難になる場合がある。そのため、検査員によるヤレの確認を迅速・正確に行うことが難しくなり、生産性が低下してしまうという問題があった。
【０００９】
本発明は、上記の問題を解決しようとするものであり、出力紙上でヤレのある位置を容易に特定可能なシートを印刷することのできるヤレ位置特定シート生成装置および画像形成システムを提供することを目的としている。
【課題を解決するための手段】
【００１０】
かかる目的を達成するための本発明の要旨とするところは、次の各項の発明に存する。
【００１１】
［１］ヤレ紙に存在する異常の位置情報を含むヤレ情報を取得するヤレ情報取得部と、
所定の用紙に、前記ヤレ紙を重ね合わせる位置を示す基準マークと、前記基準マークに位置合わせして重ねた前記ヤレ紙の中の前記位置情報が示す位置を示すヤレ位置特定マークとを印刷するための印刷データを生成する印刷データ生成部と、
を有する
ことを特徴とするヤレ位置特定シート生成装置。
【００１２】
上記発明では、ヤレ紙を重ね合わせる位置を示す基準マークと、この基準マークに位置合わせして重ねたヤレ紙の中のヤレ位置を示すヤレ位置特定マークとを含む画像を印刷するための印刷データが生成される。ヤレ情報取得部は、外部装置からヤレ情報を取得してもよいし、自ら出力紙を光学的に読み取り、その読取画像を解析してヤレ情報を取得してもよい。
【００１３】
［２］前記ヤレ情報は、前記異常の種類を示す情報を含み、
前記印刷データ生成部は、前記ヤレ情報が示す前記異常の種類に応じて前記ヤレ位置特定マークの種類を切り替える
ことを特徴とする［１］に記載のヤレ位置特定シート生成装置。
【００１４】
上記発明では、ホタル、スジ等の異常の種類に応じて、ヤレ位置特定マークの種類(形態)を切り替える。
【００１５】
［３］前記印刷データ生成部は、前記ヤレ位置特定マークの色を黒に指定した印刷データを生成する
ことを特徴とする［１］または［２］に記載のヤレ位置特定シート生成装置。
【００１６】
上記発明では、ヤレ位置特定マークを黒にすれば、重ねられたヤレ紙を透かしてヤレ位置特定マークが見やすくなる。
【００１７】
［４］前記印刷データ生成部は、前記印刷データに基づく印刷を行わせる画像形成装置の給紙トレイにセットされている用紙の中から前記所定の用紙を選択する際の選択基準の１つとして透光率を含み、透光率がより高い用紙を優先する
ことを特徴とする［１］乃至［３］のいずれか１つに記載のヤレ位置特定シート生成装置。
【００１８】
上記発明では、ヤレ位置特定マークが印刷される用紙の選択基準の１つとして用紙の透光率を採用する。透光率が高い用紙を優先的に選択する。透光率が高い用紙を使えば、この用紙をその手前に重ねたヤレ紙を透かして見たときにヤレ位置特定マークが見やすくなる。
【００１９】
［５］前記印刷データ生成部は、坪量が少ないほど透光率が高く、かつ、透明シートは最も坪量が少ない用紙より透光率が高いとして前記選択を行う
ことを特徴とする［４］に記載のヤレ位置特定シート生成装置。
【００２０】
上記発明では、透明シートは最も透光率が高い用紙として扱い、不透明な用紙は坪量が少ないほど透光率が高いものとして扱う。
【００２１】
［６］前記印刷データ生成部は、前記印刷データに基づく印刷を行わせる画像形成装置の給紙トレイにセットされている用紙の中から前記所定の用紙を選択する際の選択基準の１つとして用紙のサイズを含み、前記ヤレ紙を超えるサイズの用紙を優先する
ことを特徴とする［１］乃至［５］のいずれか１つに記載のヤレ位置特定シート生成装置。
【００２２】
上記発明では、ヤレ位置特定マークが印刷される用紙の選択基準の１つとして用紙のサイズを採用する。ヤレ位置特定マークが印刷される用紙としてヤレ紙より大きいサイズの用紙を使用すれば、出力物の束の中からこの用紙を容易に見つけ出すことができる。
【００２３】
［７］前記印刷データ生成部は、前記所定の用紙の選択をユーザから受け付ける
ことを特徴とする［１］乃至［３］のいずれか１つに記載のヤレ位置特定シート生成装置。
【００２４】
［８］前記基準マークは、前記ヤレ紙の角部を位置合わせするものであり、
前記印刷データ生成部は、前記ヤレ紙が有する複数の角部の中から前記基準マークに位置合わせする一の角部を選択する際に、前記一の角部が位置合わせされる基準マークと前記ヤレ位置特定マークとが前記所定の用紙に収まるように、前記一の角部を選択する
ことを特徴とする［１］乃至［７］のいずれか１つに記載のヤレ位置特定シート生成装置。
【００２５】
上記発明では、所定の用紙がヤレ紙より小さい場合には、ヤレ紙の一の角部を基準マークに位置合わせしたとき、ヤレ位置特定マークがこの用紙に収まらない場合が生じ得る。そこで、一の角部が位置合わせされる基準マークとヤレ位置特定マークとが所定の用紙に収まるように、一の角部を選択する。たとえば、ヤレ位置に最も近い角部を選択すればよい。
【００２６】
［９］前記印刷データ生成部は、前記所定の用紙に前記ヤレ紙を重ねたときの前記ヤレ紙の排紙方向を示す排紙方向マークがさらに印刷されるように前記印刷データを生成する
ことを特徴とする［１］乃至［８］のいずれか１つに記載のヤレ位置特定シート生成装置。
【００２７】
上記発明では、ヤレ紙とヤレ位置特定マークが印刷された用紙とを重ね合わせる際の向きを、排紙方向マークによって特定することができる。
【００２８】
［１０］前記印刷データ生成部は、前記所定の用紙と前記ヤレ紙が同一サイズの場合は前記基準マークを印刷しない
ことを特徴とする［１］乃至［９］のいずれか１つに記載のヤレ位置特定シート生成装置。
【００２９】
上記発明では、ヤレ紙とヤレ位置特定マークが印刷された用紙のサイズが同じ場合は、用紙の角で位置合わせすればよい。
【００３０】
［１１］前記印刷データ生成部は、前記ヤレ位置特定マークとして、前記基準マークに位置合わせして重ねた前記ヤレ紙の中の前記位置情報が示す位置もしくはその脇を通る線分と、前記線分の少なくとも一方側で前記位置情報が示す位置を指し示す指示マークが印刷される印刷データを生成する
ことを特徴とする［１］乃至［１０］のいずれか１つに記載のヤレ位置特定シート生成装置。
【００３１】
上記発明では、ヤレ紙の透光度が低い場合には、ヤレ紙を透かしてヤレ位置特定マークが見えない場合が生じる。そこで、ヤレ位置もしくはその脇を通る線分と、この線分の少なくとも一方側でヤレ位置を指し示す矢印等の指示マークをヤレ位置特定マークとして印刷する。ヤレ位置特定マークが印刷された用紙を線分の所で折り曲げたものを、ヤレ紙の上に基準マークで位置合わせして重ねれば、指示マークが指し示す先にヤレを発見することができる。
【００３２】
［１２］前記印刷データ生成部は、前記ヤレ紙の透光率が基準値以下の場合に、前記ヤレ位置特定マークとして前記線分と前記指示マークを選択する
ことを特徴とする［１１］に記載のヤレ位置特定シート生成装置。
【００３３】
［１３］前記ヤレ情報取得部は、
印刷された用紙を光学的に読み取る読取部と、
前記読取部で前記用紙を光学的に読み取って得た読み取り画像を解析して前記用紙に存在する異常を検出して前記ヤレ情報を取得する異常検出部と、
を有する
ことを特徴とする［１］乃至［１２］のいずれか１つに記載のヤレ位置特定シート生成装置。
【００３４】
［１４］［１３］に記載のヤレ位置特定シート生成装置と、
前記ヤレ位置特定シート生成装置によって生成された印刷データに基づいて前記所定の用紙に印刷する画像形成装置と、
を有する
ことを特徴とする画像形成システム
［１５］前記読取部は、前記画像形成装置から出力された用紙の搬送経路上に設けられたものである
ことを特徴とする［１４］に記載の画像形成システム。
【発明の効果】
【００３５】
本発明に係るヤレ位置特定シート生成装置および画像形成システムによれば、出力紙上でヤレのある位置を容易に特定可能なシートを印刷することができ、検査の効率を高めることができる。
【図面の簡単な説明】
【００３６】
【図１】本発明の実施の形態に係る画像形成システムを示す図である。
【図２】読取部の構成例を示す図である。
【図３】画像形成システム３の概略構成を示すブロック図である。
【図４】ヤレ情報保存部に保存されたヤレ情報の一例を示す図である。
【図５】基準マークとしての十字型のトンボの画像をヤレ紙の４隅の角位置に合成した例を示す図である。
【図６】基準マークと環状のヤレ位置特定マークを配置したヤレ位置特定シートの一例を示す図である。
【図７】汚れ（ホタル）とこれを囲む環状のヤレ位置特定マークの位置、サイズ、形状を示す図である。
【図８】ヤレ種別がスジの場合のヤレ位置特定シートの一例を示す図である。
【図９】基準マークに位置合わせしてヤレ紙とヤレ位置特定シートを重ね合わせた後に線状のヤレ位置特定マークに沿ってヤレ位置特定シートを折り曲げた状態を示す図である。
【図１０】印刷されるべき本来の位置にトンボが印刷された正常な出力紙と、本来の位置から位置ズレしてトンボが印刷されたヤレ紙を対比して示す図である。
【図１１】基準マークと正常位置トンボが描画されたヤレ位置特定シートの一例を示す図である。
【図１２】図画像形成部１１に示すヤレ位置特定シートにヤレ紙を重ねた状態を示す図である。
【図１３】ヤレ紙の左上の角を基準マークに位置合わせした場合にヤレ位置特定マークがヤレ位置特定シートの領域外になる場合の例を示す図である。
【図１４】位置合わせの基準をヤレ紙の右上角に変更することでヤレ位置特定マークがヤレ位置特定シートの中に入った例を示す図である。
【図１５】ヤレ位置特定マークを折り曲げ線と指示マークとした例を示す図である。
【図１６】折り曲げ線に沿って折り曲げたヤレ位置特定シートをヤレ紙の上に重ね合わせた状態を示す図である。
【図１７】ヤレ検査装置が行う処理を示す流れ図である
【図１８】図１７の続きの処理を示す流れ図である。
【図１９】用紙選択処理を示す流れ図である。
【図２０】合紙を含む出力物の山の一例を示す図である。
【図２１】出力画像を縮小したサムネイル画像を含む合紙の一例を示す図である。
【図２２】目標物の有無によりヤレの発見の難易度が左右される例を示す図である。
【発明を実施するための形態】
【００３７】
以下、図面に基づき本発明の実施の形態を説明する。
【００３８】
図１は、本発明の実施の形態に係る画像形成システム３を示している。画像形成システム３は、給紙ユニット５と、画像形成装置１０と、ヤレ位置特定シート生成装置としてのヤレ検査装置２０と、スタッカ装置７等をカスケード接続して構成される。
【００３９】
給紙ユニット５は記録紙、透明シート（フィルム）、布などの記録材（以下、用紙とする）を収納する給紙トレイを複数備えており、指定された給紙トレイに収納されている用紙を繰り出して画像形成装置１０に向けて搬送する機能を果たす。
【００４０】
画像形成装置１０は、給紙ユニット５もしくは自装置が有する給紙トレイから繰り出して搬送される用紙に画像を形成して後段のヤレ検査装置２０へ送り出す。
【００４１】
画像形成装置１０は、無端で環状に掛け渡された中間転写ベルト１１ａと、この中間転写ベルト１１ａに沿って配置されたC,M,Y,K各色の像形成ユニット１１ｂを備え、像形成ユニット１１ｂによって中間転写ベルト１１ａ上にC,M,Y,K各色のトナー像を重畳してフルカラーのトナー像を形成する。そして、画像形成装置１０は、給紙トレイから搬送されてきた用紙に中間転写ベルト１１ａ上に形成したトナー像を２次転写位置Ｄで転写し、さらに定着器１１ｃで用紙に熱定着させた後、該用紙を後段の装置へ送り出す。画像形成装置１０は、上記のようなタンデム式の電子写真方式のものに限定されず、用紙に画像を形成する方式は任意でよい。
【００４２】
ヤレ検査装置２０は、画像形成装置１０から搬送されて来た用紙（出力紙）を後段のスタッカ装置７に向けて搬送する共に搬送中の用紙を読取部２３で光学的に読み取って画像を取得し、この画像を解析して出力紙の異常（ヤレ）を検出する。異常のある出力紙をヤレ紙とする。ヤレ検査装置２０は、ヤレ紙毎に、そのヤレ紙に存在する異常の位置を特定可能な画像が印刷されたシート（ヤレ位置特定シート）を印刷するための印刷データを生成する機能を果たす。
【００４３】
ヤレ位置特定シートには、ヤレ紙を重ね合わせる位置を示す基準マークと、基準マークに位置合わせして重ねたヤレ紙の中のヤレ位置を示すヤレ位置特定マークが印刷される。基準マークに位置合わせしてヤレ位置特定シートにヤレ紙を重ね合わせて透かして見れば、ヤレ位置特定マークがヤレ紙にあるヤレを指し示すので、検査員はヤレ紙上でヤレ位置を容易に認識することができる。
【００４４】
スタッカ装置７は、ヤレ検査装置２０から送られて来る用紙を積み重ねて保持する。積み重ねられた用紙は検査台等に移動され、検査員によって検査される。
【００４５】
図２は、ヤレ検査装置２０が備える読取部２３の構成例を示している。読取部２３は用紙の両面を１パスで読み取るため、用紙の表面を読み取るラインイメージセンサ２３ａと、用紙の裏面を読み取るラインイメージセンサ２３ｂが、用紙搬送方向に距離を置いて配置されている。各ラインイメージセンサ２３ａ、２３ｂの前後には、用紙を保持、搬送するための搬送ローラが設けてある。
【００４６】
ラインイメージセンサ２３ａ、２３ｂは搬送路上の特定箇所に固定されており、これらの読み取り位置に対して、搬送される用紙が相対移動することで該用紙の表裏および用紙周辺の背景がラインイメージセンサ２３ａ、２３ｂによって読み取られる。用紙の搬送方向を副走査方向、用紙上でこれに直交する方向を主走査方向とする。読取部２３は、副走査方向に搬送される用紙に対して主走査方向のライン単位の読み取りを繰り返すことで用紙を二次元に読み取る。
【００４７】
図３は、画像形成システム３の概略構成を示すブロック図である。画像形成装置１０は、前述の画像形成部１１および画像形成装置１０全体の動作を制御するジョブ制御部１３を有する。ジョブ制御部１３は、ＣＰＵ（Central Processing Unit）、記憶部、画像処理部、通信部などで構成される。ジョブ制御部１３には、操作画面、設定画面等の表示およびユーザから各種の操作の受け付ける機能を果たす操作パネル１４が接続されている。
【００４８】
ヤレ検査装置（ヤレ位置特定シート生成装置）２０は、ヤレ紙情報取得部２１と印刷データ生成部２２を備えて構成される。ヤレ紙情報取得部２１は、読取部２３と、読取画像バッファ２４と、ヤレ検出部２５と、ヤレ情報保存部２６を備えている。
【００４９】
読取部２３から出力された読取画像は読取画像バッファ２４に入力されて一時的に記憶される。ヤレ検出部２５は、読取画像バッファ２４に一時記憶されている読取画像を読み出して解析し、該読取画像に対応する出力紙に異常があるか否かを判断する。ヤレ検出部２５は、読取画像と、事前に登録されている正解画像を比較して異常（ヤレ）を検出する。ヤレ検出部２５は、ヤレのある出力紙（ヤレ紙）を検出した場合には、そのヤレ紙に関する各種の情報（ヤレ情報）を生成してヤレ情報保存部２６に保存すると共に、印刷データ生成部２２に対してヤレ位置特定シートを印刷するための印刷データの生成を指示する。
【００５０】
図４は、ヤレ情報保存部２６に保存されたヤレ情報の一例を示す。ヤレ情報は、スタッカに積載した用紙群の中でのヤレ紙の位置（上から何シート目、およびヤレがそのシートの表裏いずれにあるかを示す）、用紙サイズ、ヤレ種別、ヤレ位置などの情報で構成される。ヤレ種別には、ホタル（点状に現れる濃度ムラ）、スジ（線状に現れる濃度ムラ）、表裏位置ズレなどがある。
【００５１】
ヤレ位置は、用紙の左上を原点としたXY座標で表される。点状のホタルの場合は、その中心位置の座標と中心位置から最も離れた箇所の座標で示される。スジの場合は始端と終端の座標で示される。表裏ズレの場合は表裏のズレ量が示される。
【００５２】
図３に戻って説明を続ける。印刷データ生成部２２は、ヤレ検出部２５から印刷データの生成指示を受けると、ヤレ情報保存部２６に保存されているヤレ情報に基づいて、ヤレ位置特定シートを印刷するための印刷データを生成する。
【００５３】
印刷データ生成部２２は、用紙選択部２７、マーク設定部２８、画像合成部２９の機能を備えている。用紙選択部２７は、ヤレ位置特定シートの印刷に使用する用紙を選択する。ここでは、画像形成装置１０の給紙トレイ（給紙ユニット５を含む）にセットされている用紙の中から、ヤレ位置特定シートの印刷に適した用紙を選択する。
【００５４】
マーク設定部２８は、用紙選択部２７が選択した用紙に印刷するヤレ位置特定マークの種類をヤレの種別に応じて設定する。ヤレ位置特定マークの色は黒がデフォルト色である。他の色としてもよいが、透かしたときに黒が最もコントラストが付いて見やすくなる。
【００５５】
画像合成部２９は、用紙選択部２７が選択した用紙に所定の基準マークとマーク設定部２８が設定した種類のヤレ位置特定マークを含む画像を印刷するための印刷データを生成する。印刷データ生成部２２は画像合成部２９が生成した印刷データとこの印刷データに基づく割り込み印刷の実行指示を画像形成装置１０のジョブ制御部１３に転送する。画像形成装置１０はヤレ検査装置２０から転送された印刷データに基づいてヤレ位置特定シートを割り込み印刷として直ちに出力する。
【００５６】
ヤレ検査装置２０はＣＰＵを備えており、記憶部に記憶されたプログラムに従ってＣＰＵが動作し、各部を制御することによってヤレ検査装置２０としての機能が実現される。
【００５７】
次に、ヤレ検査装置２０の印刷データ生成部２２がヤレ位置特定シートの印刷データを生成する工程について説明する。
【００５８】
＜用紙選択＞
用紙選択部２７は、画像形成装置１０の給紙トレイにセットされて使用可能な用紙の情報を取得し、それらの中から、ヤレ位置特定シートの印刷に使用する用紙を選択する。用紙を選択する際の選択基準の１つとして用紙の透光率がある。透光率がより高い用紙を優先的に選択する。なお、坪量が少ないほど透光率が高く、かつ、透明シートは最も坪量が少ない不透明な用紙より透光率が高いものとする。
【００５９】
さらに、用紙を選択する際の選択基準の１つとして用紙のサイズがある。用紙選択部２７は、ヤレ紙を超えるサイズの用紙を優先的に選択する。このほか用紙選択部２７は、用紙の選択をユーザから受け付ける機能も備える。
【００６０】
透光率と用紙サイズのいずれを優先的な選択基準にするかは任意に選べばよい。ここでは、用紙選択部２７は、画像形成装置１０の給紙トレイにセットされている用紙の中から、用紙サイズがヤレ紙の用紙サイズより大きいものをまず候補に絞り込み、この候補の中で坪量が最小の用紙をヤレ位置特定用紙の印刷に使用する用紙に選択する。なお、候補の中にＯＨＰシートのような透明シートがあれば、これを最優先で選択する。用紙選択の方法はこれに限定されるものではない。
【００６１】
＜基準マークの生成＞
選択された用紙に対して、ヤレ紙を重ね合わせる際の位置合わせの基準となる基準マーク４１の画像をヤレ位置特定シートに印刷する画像データに合成する。ここでは、基準マークとして十字型のトンボを使用する。図５は、ヤレ紙と、選択された用紙に基準マークとしての十字型のトンボをヤレ紙の４隅の角の位置に合成した例を示している。
【００６２】
＜ヤレ位置特定マークの生成＞
ヤレ位置特定シートに形成される左上の基準マーク(トンボの中央)の位置を座標(0.0)として、ヤレ情報のヤレ位置が示す座標に、ヤレ種別に応じた種類のヤレ位置特定マークの画像をヤレ位置特定シートに印刷する画像データに追加合成する。具体的にはヤレ種別毎に以下のようになる。
【００６３】
（ａ）ヤレ種別がホタルの場合
図６に示すように、基準マーク４１に位置合わせしてヤレ紙をヤレ位置特定シートに重ねたときに、そのヤレ紙にあるヤレ（ホタル）を取り囲むように環状のヤレ位置特定マーク４３を合成する。図６の例は、ヤレ紙の中でのヤレ位置は（120,110）の座標位置にあるので、ヤレ位置特定シートの左上の基準マーク４１（トンボの中心）を(0,0)とした座標上で（120,110）の位置を中心とした環状のヤレ位置特定マーク４３を合成する。
【００６４】
ここでは、図７に示すように、汚れ（ホタル）の中心を中心とし、この汚れの中心と該中心から最も遠い汚れの箇所までの距離を半径とする円を、環状のヤレ位置特定マーク４３として描画する。なお、このようにして求めた半径が、予め設定した最小値以下の場合は、その予め設定した最小値を環状のヤレ位置特定マーク４３の半径とする。最小値は、固定値でもよいし、ユーザにより設定変更可能としてもよい。
【００６５】
（ｂ）ヤレ種別がスジの場合
図８に示すように、ヤレ紙にあるスジの始端と終端をそれぞれ始端・終端とする線分４５をヤレ位置特定マークとして描画する。図９に示すように、ユーザは、基準マーク４１に位置合わせしてヤレ紙とヤレ位置特定シートを重ね合わせた後、線状のヤレ位置特定マーク４５に沿ってヤレ位置特定シートを折り曲げると、その箇所にスジを発見することができる。なお、折り曲げてからヤレ紙と重ねてもよい。
【００６６】
（ｃ）ヤレ種別が表裏位置ズレの場合
図１０は、印刷されるべき本来の位置にトンボが印刷された正常な出力紙と、本来の位置から位置ズレしてトンボが印刷されたヤレ紙を示している。ヤレ位置特定シートには、図１１に示すように、基準マーク４１と、この基準マーク４１に対して本来の位置にヤレ位置特定マークとしてのトンボ(正常位置トンボ４７)を描画する。
【００６７】
図１２は、図１１のヤレ位置特定シートに図１０の位置ズレしたヤレ紙を重ね合わせた状態を示している。ユーザは、基準マーク４１に合わせてヤレ位置特定用紙の上にヤレ紙を重ねて透かして見ると、正常位置トンボ４７とヤレ紙上のトンボ４６との位置ズレにより、ヤレ紙に生じた位置ズレ量を認識することができる。
【００６８】
なお、ヤレ検出部２５は、設定値以上の表裏位置ズレが生じていない場合はヤレとして検出せず、正常な出力紙として扱う。したがって、ヤレ位置特定シートは印刷されない。
【００６９】
以上のようにして印刷データの生成処理が完了すると、印刷データ生成部２２は直ちにこの印刷データとこれを割り込み印刷する指示を画像形成装置１０のジョブ制御部１３に転送する。これを受けた画像形成装置１０は転送されてきた印刷データに基づいてヤレ位置特定シートを割り込み印刷として直ちに出力する。検査員は、印刷されたヤレ位置特定シートとヤレ紙とされた出力紙を基準マーク４１で位置合わせして重ね合わせる。そして、これを透かして見たり、線状のヤレ位置特定マーク４５に沿ってヤレ位置特定シートを折り曲げたりして、ヤレ紙上のヤレを発見し、ヤレ紙とされた出力紙を取り除くべきか等を判断する。
【００７０】
なお、ヤレ位置特定マークの色はデフォルトで黒にされる。
【００７１】
次に、本発明の各種の変形例について説明する。
【００７２】
（１）ヤレ検査装置２０を画像形成装置１０の後段に接続せずに別体とし、かつヤレ検査装置２０の読取部２３を原稿台にセットされた用紙を読み取る方式とし、画像形成装置１０で印刷された出力紙を上記の原稿台にユーザがセットし、これを順次読み取る、といった構成としてもよい。
【００７３】
（２）ヤレ位置特定シートとする用紙については、サイズ、坪量、透明シートか否かに係らず、ユーザが任意に選択できるようにしてもよい。たとえば、ユーザからの選択操作を画像形成装置１０の操作パネル１４で受けたり、通信により外部装置から受けたりするようにしてもよい。
【００７４】
（３）ヤレ位置特定シートの用紙サイズがヤレ紙より小さい場合への対応
上記（２）の場合、ヤレ紙より小さい用紙がヤレ位置特定シートに選択されることがある。このとき、図１３に示すように、ヤレ紙の左上の角を基準マーク４１に位置合わせすると、ヤレ位置特定マーク４３を描画すべき位置がヤレ位置特定用紙の外になってしまうことがある。そのような場合は、ヤレ紙の４つの角のうち、ヤレ位置に最も近い角を自動判別し、その角に合わせて基準マーク４１とヤレ位置特定マークを描画する。
【００７５】
図１４に示す例では、ヤレの位置に最も近い角は右上なので、ヤレ位置特定シートには、ヤレ紙の右上の角を位置合わせするための基準マーク４１を描画し、この基準マーク４１にヤレ紙を位置合わせした時のヤレの位置に、ヤレ位置特定マーク４３を描画してある。なお、ヤレ位置特定シートに使用する用紙を自動選択した場合にその用紙のサイズがヤレ紙より小さい場合も同様にすればよい。
【００７６】
なお、左上の角部を優先することなく、適切な任意の角部を最初から選択するように構成してもよい。すなわち、ヤレ紙が有する複数の角部の中から基準マークに位置合わせする一の角部を選択する際に、該一の角部が位置合わせされる基準マークとヤレ位置特定マークとが用紙に収まるように、一の角部を選択してもよい。具体的には、ヤレ位置に最も近い角部を選択すればよい。
【００７７】
（４）ヤレ紙の透光性が低い場合
ヤレ紙の透光性が低いと、ヤレ位置特定シートの上にヤレ紙を重ね合わせても、ヤレ位置特定マークが透けて見えない若しくは見難い。そこで、ヤレ紙の透光性が基準値以下の場合には、図１５に示すように、ヤレ位置特定マークを、折り曲げ箇所を示す折り曲げ線５１と、矢印等の指示マーク５２で構成する。折り曲げ線５１は、基準マークに位置合わせして重ねたヤレ紙の中のヤレ位置もしくはその脇を通る線分であり、指示マーク５２は、この線分の少なくとも一方側で位置情報が示すヤレ位置を指し示すマークである。ここでは、折り曲げ線５１をヤレ位置の脇を通る線分とし、指示マーク５２は折り曲げ線５１を挟んでヤレ位置の反対側からヤレ位置を指し示す矢印等のマークとする。矢印の先に折り曲げ線５１が位置するようにする。
【００７８】
図１６に示すように、ヤレ位置特定シートを折り曲げ線５１に沿って折り曲げた後、ヤレ紙の上にこの折り曲げたヤレ位置特定シートを重ね合わせると、指示マーク５２がヤレ紙上のヤレを直接的に指し示すことになる。
【００７９】
なお、折り曲げ線５１がヤレの脇ではなくヤレのある場所を通る場合には、指示マーク５２を折り曲げ線５１の両側に設けてもよい。どちらに折り曲げても対応可能になる。
【００８０】
（５）ヤレ位置特定シートには、ヤレ紙の排紙方向を示す矢印等のマーク（排紙方向マーク）をさらに印刷するようにしてもよい。ヤレ紙とヤレ位置特定シートとを重ね合わせる向きを間違えることが防止される。
【００８１】
（６）ヤレ紙とヤレ位置特定シートの用紙サイズが同一の場合には、ヤレ位置特定シートに基準マーク４１を印刷しないようにしてもよい。この場合、ヤレ紙の角とヤレ位置特定シートの角で位置合わせすればよい。
【００８２】
次に、ヤレ検査装置２０が行う処理を流れ図に基づいて説明する。
【００８３】
図１７、図１８は、ヤレ検査装置２０が行う処理を示す流れ図である。ヤレ検査装置２０は、画像形成装置１０から排出されてスタッカ装置７へ向かう印刷された出力紙を読取部２３で光学的に読み取り（ステップＳ１０１）、その読取画像を解析して異常(ヤレ)を検出する（ステップＳ１０２）。
【００８４】
異常（ヤレ）が検出されなければ（ステップＳ１０３；Ｎｏ）、本処理を終了する。
【００８５】
異常（ヤレ）が検出された場合は（ステップＳ１０３；Ｙｅｓ）、ヤレ位置、ヤレ種別、ヤレ紙の用紙サイズなどのヤレ情報を取得する（ステップＳ１０４）。
【００８６】
次に、後述する用紙選択処理を行って（ステップＳ１０５）、ヤレ位置特定シートに使用する用紙を決定する。
【００８７】
次に、検出された異常（ヤレ）の種別を判断し、検出された異常が表裏位置ズレの場合は（ステップＳ１０６；Ｙｅｓ）、ヤレ位置特定シートに印刷すべきヤレ位置特定マークを正常位置トンボ４７に設定して(ステップＳ１０７)、図１８のステップＳ１１３に移行する。
【００８８】
検出された異常（ヤレ）がスジならば（ステップＳ１０６；Ｎｏ、Ｓ１０８：スジ）、ヤレ位置特定シートに印刷すべきヤレ位置特定マークを線状のヤレ位置特定マーク４５に設定して(ステップＳ１０９)、図１８のステップＳ１１３に移行する。
【００８９】
検出された異常（ヤレ）がホタルならば（ステップＳ１０６；Ｎｏ、Ｓ１０８：ホタル）、ヤレ紙の透光度が基準値以上か否かを判断する。ヤレ紙の透光度が基準値以上ならば（ステップＳ１１０；Ｙｅｓ）、ヤレ位置特定シートに印刷すべきヤレ位置特定マークを環状のヤレ位置特定マーク４３に設定して(ステップＳ１０９)、図１８のステップＳ１１３に移行する。ヤレ紙の透光度が基準値未満ならば(ステップＳ１１０；Ｎｏ)、ヤレ位置特定シートに印刷すべきヤレ位置特定マークを折り曲げ線５１と指示マーク５２に設定して(ステップＳ１１２)、図１８のステップＳ１１３に移行する。
【００９０】
ステップＳ１１３では、ステップＳ１０５で選択されたヤレ位置特定シートに使用する用紙のサイズがヤレ紙の用紙サイズ以上か否を判断する。ヤレ位置特定シートがヤレ紙の用紙サイズ以上ならば(ステップＳ１１３；Ｙｅｓ)、選択された用紙に、ヤレ紙の四隅の位置となる４つの基準マーク４１と、設定されたヤレ位置特定マークとを配置した画像を印刷するための印刷データを生成する（ステップＳ１１４）。なお、ヤレ位置特定シートとヤレ紙が同一サイズの場合は、基準マーク４１を描画しない印刷データを生成する。
【００９１】
その後、生成した印刷データとこれを割り込みで印刷する指示とを画像形成装置１０に転送して（ステップＳ１２０）、本処理を終了する。
【００９２】
ヤレ位置特定シートがヤレ紙の用紙サイズ未満の場合は（ステップＳ、１１３；Ｎｏ）、ヤレ紙が有する４つの角部のうち、どの角部を位置合わせ用の角部にするかを設定する。具体的には、異常（ヤレ）の種別が表裏位置ズレであれば（ステップＳ１１５；Ｙｅｓ）、左上の角を指定して（ステップＳ１１７）、ステップＳ１１９へ移行する。異常（ヤレ）の種別が表裏位置ズレでなく、ホタルかスジであれば（ステップＳ１１５；Ｎｏ）、左上の角部で位置合わせした場合にヤレ位置が用紙内に収まるか否かを判断する（ステップＳ１１６）。
【００９３】
左上の角部で位置合わせしてヤレ位置（ヤレ位置特定マーク）が用紙内に収まるならば（ステップＳ１１６；Ｙｅｓ）、左上の角部を指定して（ステップＳ１１７）、ステップＳ１１９へ移行する。左上の角部で位置合わせするとヤレ位置（ヤレ位置特定マーク）が用紙内に収まらない場合は（ステップＳ１１６；Ｎｏ）、ヤレ位置（ヤレ位置特定マーク）が用紙内に収まる他の角部を指定（ここではヤレ位置に最も近い角部を指定）して（ステップＳ１１８）、ステップＳ１１９へ移行する。
【００９４】
ステップＳ１１９では、ステップＳ１１７もしくはＳ１１８で指定された角部に対応する基準マーク４１と、ステップＳ１０７、１０９、１１２のいずれかで設定された種類のヤレ位置特定マークとを配置した画像を印刷するための印刷データを生成する。その後、生成した印刷データとこれを割り込みで印刷する指示とを画像形成装置１０に転送して（ステップＳ１２０）、本処理を終了する。
【００９５】
次に、用紙選択処理（図１７のステップＳ１０５）の詳細を図１９に示す流れ図に基づいて説明する。
【００９６】
ヤレ検査装置２０は、画像形成装置１０の各給紙トレイ（給紙ユニット５が接続されている場合はこれを含む）にセットされている用紙の用紙情報を取得する(ステップＳ２０１)。用紙情報には、用紙のサイズ、坪量、用紙種類（ＯＨＰシートなどの透明シートか、特殊紙等）などが含まれる。
【００９７】
ステップＳ２０１で用紙情報を取得した用紙の中に、ヤレ紙の用紙サイズ以上の用紙がある否かを判断し（ステップＳ２０２）、ヤレ紙以上のサイズの用紙があれば（ステップＳ２０２；Ｙｅｓ）それらを用紙の候補に設定する（ステップＳ２０３）。なお、ヤレ紙より大きいサイズの用紙があれば、ヤレ紙より大きいサイズの用紙のみを候補としてもよい。
【００９８】
一方、ヤレ紙以上のサイズの用紙がなければ（ステップＳ２０２；Ｎｏ）、すべての用紙を候補に設定する（ステップＳ２０４）。そして、ステップＳ２０３もしくはＳ２０４で候補に設定した用紙の中に透明シートがあれば（ステップＳ２０５；Ｙｅｓ）、その透明シートをヤレ位置特定シートに使用する用紙に選択して（ステップＳ２０７）本処理を終了する。
【００９９】
候補の中に透明シートがなければ（ステップＳ２０５；Ｎｏ）、候補の中で最小坪量の用紙を選択して（ステップＳ２０６）本処理を終了する。
【０１００】
なお、用紙の指定をユーザから受けた場合はその用紙を採用する。また、ヤレ紙以上のサイズの用紙がない場合（ステップＳ２０２；Ｎｏ）用紙の選択基準として、サイズ優先と透光性優先を選択可能とし、サイズ優先の場合は、使用可能な用紙の中で最もサイズの大きい用紙を選択し、透光性優先の場合は、透明シートがあればそれを選択し、透明シートがなければ最小坪量の用紙を選択するように構成してもよい。
【０１０１】
以上、本発明の実施の形態および変形例を図面によって説明してきたが、具体的な構成は実施の形態に示したものに限られるものではなく、本発明の要旨を逸脱しない範囲における変更や追加があっても本発明に含まれる。
【０１０２】
図１７〜図２０に示す流れ図は処理の一例であり、これに限定されるものではない。用紙サイズや透光性の選択基準を任意に組み合わせて用紙を選択してもよい。
【符号の説明】
【０１０３】
３…画像形成システム
５…給紙ユニット
７…スタッカ装置
１０…画像形成装置
１１…画像形成部
１１ａ…中間転写ベルト
１１ｂ…像形成ユニット
１１ｃ…定着器
１３…ジョブ制御部
１４…操作パネル
２０…ヤレ検査装置
２１…ヤレ紙情報取得部
２２…印刷データ生成部
２３…読取部
２３ａ、２３ｂ…ラインイメージセンサ
２４…読取画像バッファ
２５…ヤレ検出部
２６…ヤレ情報保存部
２７…用紙選択部
２８…マーク設定部
２９…画像合成部
４１…基準マーク
４３…環状のヤレ位置特定マーク
４５…線状のヤレ位置特定マーク
４６…ヤレ紙上のトンボ
４７…正常位置トンボ
５１…折り曲げ線
５２…指示マーク
【図１】
2019202425.tif 000003
【図２】
2019202425.tif 000004
【図３】
2019202425.tif 000005
【図４】
2019202425.tif 000006
【図５】
2019202425.tif 000007
【図６】
2019202425.tif 000008
【図７】
2019202425.tif 000009
【図８】
2019202425.tif 000010
【図９】
2019202425.tif 000011
【図１０】
2019202425.tif 000012
【図１１】
2019202425.tif 000013
【図１２】
2019202425.tif 000014
【図１３】
2019202425.tif 000015
【図１４】
2019202425.tif 000016
【図１５】
2019202425.tif 000017
【図１６】
2019202425.tif 000018
【図１７】
2019202425.tif 000019
【図１８】
2019202425.tif 000020
【図１９】
2019202425.tif 000021
【図２０】
2019202425.tif 000022
【図２１】
2019202425.tif 000023
【図２２】
2019202425.tif 000024